(57)【要約】      （修正有）【課題】軸方向位置調節部材と角度調節部材によりブレードの位置と角度を調節し、ハンドルの回動で絶縁体を剥ぎ取る絶縁体剥ぎ取り装置を提供する。【解決手段】握り用ハンドル、固定側挟持フレーム３、可動側挟持フレーム４、操作ハンドル５を備える。固定側挟持フレーム３は、収容部に挿入されたブレード保持体側係合部を備えたブレード保持体と、ブレード保持体のブレード保持体側係合部を把持し、ブレード保持体の回転を規制しかつ回動を行うためのブレード保持体角度調節部材８と、回転によりブレード保持体を軸方向に移動させる軸方向位置調節部材７と、ブレード保持体に装着されたブレード９とを備える。軸方向位置調節部材７と角度調節部材８によりブレード９の位置と角度を調節し、操作ハンドル５の回転により固定側挟持フレーム３と可動側挟持フレーム４にてケーブルを挟持する。【選択図】図１
0003160548.tif 000002
【実用新案登録請求の範囲】
【請求項１】
軸部と、前記軸部の一端側に設けられた握り部と、前記軸部の他端側に設けられた螺杆部とを有する握り用ハンドルと、
前記握り用ハンドルの軸部に基部が固定され、かつケーブルの周面が当接可能な一対のベアリングを備えた固定側挟持フレームと、
前記固定側挟持フレームより前記握り用ハンドルの軸部の他端側に位置し、前記軸部に基部が前記軸部の軸方向に移動可能に備えられ、かつ、前記ケーブルの周面に当接可能な一対のベアリングを備え、前記固定側挟持フレームと共同して前記ケーブルを挟持する可動側挟持フレームと、
前記握り用ハンドルの螺杆部と螺合し、回転により前記軸部上を移動可能であり、かつ、前記可動側挟持フレームと連結され、回転により、前記可動側挟持フレームを前記軸部上を進退させる操作ハンドルとを備えるケーブルの絶縁体剥ぎ取り装置であって、
前記固定側挟持フレームは、前記一対のベアリングの中心線と中心軸がほぼ平行となるように設けられたブレード保持体用収納部と、かつ、前記ブレード保持体用収納部の中心軸に対してほぼ直交する方向に延び、かつ前記ブレード保持体用収納部と連通する角度調節部材用収納部とを備え、
前記ケーブルの絶縁体剥ぎ取り装置は、前記ブレード保持体用収容部に回動と軸方向に移動可能に挿入されたブレード取付け部と、側部に設けられたブレード保持体側係合部とを備えたブレード保持体と、前記角度調節部材用収納部に回動させることにより進退可能に収納され、かつ、前記ブレード保持体のブレード保持体側係合部と係合する角度調整部材側係合部を備え、前記ブレード保持体の回転を規制しかつ微少回動を行うためのブレード保持体角度調節部材と、前記ブレード保持体と螺合により連結され、回転により前記ブレード保持体を軸方向に移動させるブレード保持体軸方向位置調節部材と、前記ケーブルに対する半径方向切刃と軸方向切刃とを備え、前記ブレード保持体に装着されたブレードとを備え、
前記ケーブルの絶縁体剥ぎ取り装置は、前記操作ハンドルの回転操作により、前記固定側挟持フレームの前記一対のベアリングと前記可動側挟持フレームの前記一対のベアリング間にて前記ケーブルを挟持可能であり、かつ、前記ブレード保持体軸方向位置調節部材と前記ブレード保持体角度調節部材により、前記ブレードの半径方向切刃の位置および軸方向切刃の角度を調節可能であることを特徴とするケーブルの絶縁体剥ぎ取り装置。
【請求項２】
前記ケーブルの絶縁体剥ぎ取り装置は、前記ブレード保持体軸方向位置調節部材と前記ブレード保持体角度調節部材により、前記ブレードの半径方向切刃の位置および軸方向切刃の角度を調節し、前記操作ハンドルの回転操作により、前記固定側挟持フレームの前記一対のベアリングと前記可動側挟持フレームの前記一対のベアリング間にて前記ケーブルを挟持した状態において、前記握り用ハンドルと操作ハンドルをもって、前記ケーブルの絶縁体剥ぎ取り装置を挟持する前記ケーブルに対して回転させることにより、前記ケーブルの絶縁体を螺旋状に剥ぎ取り可能である請求項１に記載のケーブルの絶縁体剥ぎ取り装置。
【請求項３】
前記固定側挟持フレームは、前記ブレード保持体用収納部と前記角度調節部材用収納部とを連通し、前記ブレード保持体角度調節部材を前記角度調節部材用収納部に部分的に露出させる開口部を備え、前記角度調節部材用収納部に収納された前記ブレード保持体角度調節部材の角度調節部材側係合部と、前記ブレード保持体用収納部に収納されたブレード保持体のブレード保持体側係合部は、前記固定側挟持フレームの前記開口部にて露出し、かつ、両者が係合しているものである請求項１または２に記載のケーブルの絶縁体剥ぎ取り装置。
【請求項４】
前記ブレード保持体は、前記ブレード保持体軸方向位置調節部材の回動時に、前記ブレード保持体側係合部が前記前記ブレード保持体角度調節部材の前記角度調節部材側係合部にガイドされることにより軸方向への移動調節が可能となっており、
前記ブレード保持体角度調節部材は、前記角度調節部材側係合部の回動時の進退による前記ブレード保持体のブレード保持体側係合部の回動方向への移動により、前記ブレード保持体の角度調節を可能としている請求項１ないし３のいずれかに記載のケーブルの絶縁体剥ぎ取り装置。
【請求項５】
前記ブレード保持体側係合部は、前記ブレード保持体の側部に設けられた突部と、前記突部の両側に設けられた凹部とにより構成されており、
前記角度調節部材側係合部は、前記ブレード保持体角度調節部材の軸部に設けられた前記ブレード保持体の前記突部と係合する係合凹部と、前記ブレード保持体の前記凹部と係合する係合凸部とにより構成されている請求項１ないし４のいずれかに記載のケーブルの絶縁体剥ぎ取り装置。
【請求項６】
前記ブレードの前記半径方向切刃は、前記ブレード保持体軸方向位置調節部材の中心軸に対して所定の傾斜角にて傾斜するものである請求項１ないし５のいずれかに記載のケーブルの絶縁体剥ぎ取り装置。
【請求項７】
前記ブレードの半径方向切刃の刃端面は、装着されたケーブルの垂直中心軸と交差する傾斜刃端面となっている請求項１ないし６のいずれかに記載のケーブルの絶縁体剥ぎ取り装置。
【請求項８】
前記操作ハンドルは、前記握り用ハンドルの前記螺杆部に螺合し、回転により前記螺杆部に対して軸方向に移動する螺子部と、外側部に環状の連動部材係合用凹溝とを備え、前記可動側挟持フレームは、基端が前記可動側挟持フレームに固定され、先端部に設けられた係合部が前記環状の連動部材係合用凹溝と係合した連動部材を備えるものである請求項１ないし７のいずれかに記載のケーブルの絶縁体剥ぎ取り装置。
【請求項９】
前記ブレードの前記半径方向切刃は、前記ブレード保持体軸方向位置調節部材の中心軸に対して所定の傾斜角にて傾斜するものであり、かつ、前記ブレードの半径方向切刃の刃端面は、装着されたケーブルの垂直中心軸と交差する傾斜刃端面となっている請求項１ないし８のいずれかに記載のケーブルの絶縁体剥ぎ取り装置。
【請求項１０】
軸部と、前記軸部の一端側に設けられた握り部と、前記軸部の他端側に設けられた螺杆部とを有する握り用ハンドルと、
前記握り用ハンドルの軸部に基部が固定され、かつケーブルの周面が当接可能な一対のベアリングを備えた固定側挟持フレームと、
前記固定側挟持フレームより前記握り用ハンドルの軸部の他端側に位置し、前記軸部に基部が前記軸部の軸方向に移動可能に備えられ、かつ、前記ケーブルの周面に当接可能な一対のベアリングを備え、前記固定側挟持フレームと共同して前記ケーブルを挟持する可動側挟持フレームと、
前記握り用ハンドルの螺杆部と螺合し、回転により前記軸部上を移動可能であり、かつ、前記可動側挟持フレームと連結され、回転により、前記可動側挟持フレームを前記軸部上を進退させる操作ハンドルとを備えるケーブルの絶縁体剥ぎ取り装置であって、
前記固定側挟持フレームは、前記一対のベアリングの中心線と中心軸がほぼ平行となるように設けられたブレード保持体用収納部と、かつ、前記ブレード保持体用収納部の中心軸に対してほぼ直交する方向に延び、かつ前記ブレード保持体用収納部と連通する角度調節部材用収納部とを備え、
前記ケーブルの絶縁体剥ぎ取り装置は、前記ブレード保持体用収容部に回動と軸方向に移動可能に挿入されたブレード取付け部と、側部に設けられたブレード保持体側係合部とを備えたブレード保持体と、前記角度調節部材用収納部に回動させることにより進退可能に収納され、かつ、前記ブレード保持体のブレード保持体側係合部と係合する角度調整部材側係合部を備え、前記ブレード保持体の回転を規制しかつ微少回動を行うためのブレード保持体角度調節部材と、前記ブレード保持体と螺合により連結され、回転により前記ブレード保持体を軸方向に移動させるブレード保持体軸方向位置調節部材と、前記ケーブルに対する半径方向切刃と軸方向切刃とを備え、前記ブレード保持体に装着されたブレードとを備え、
前記ケーブルの絶縁体剥ぎ取り装置は、前記操作ハンドルの回転操作により、前記固定側挟持フレームの前記一対のベアリングと前記可動側挟持フレームの前記一対のベアリング間にて前記ケーブルを挟持可能であり、かつ、前記ブレード保持体軸方向位置調節部材と前記ブレード保持体角度調節部材により、前記ブレードの半径方向切刃の位置および軸方向切刃の角度を調節可能であり、かつ、前記ブレード保持体軸方向位置調節部材と前記ブレード保持体角度調節部材により、前記ブレードの半径方向切刃の位置および軸方向切刃の角度を調節し、前記操作ハンドルの回転操作により、前記固定側挟持フレームの前記一対のベアリングと前記可動側挟持フレームの前記一対のベアリング間にて前記ケーブルを挟持した状態において、前記握り用ハンドルと操作ハンドルをもって、前記ケーブルの絶縁体剥ぎ取り装置を挟持する前記ケーブルに対して回転させることにより、前記ケーブルの絶縁体を螺旋状に剥ぎ取り可能であり、
さらに、前記固定側挟持フレームは、前記ブレード保持体用収納部と前記角度調節部材用収納部とを連通し、前記ブレード保持体角度調節部材を前記角度調節部材用収納部に部分的に露出させる開口部を備え、前記角度調節部材用収納部に収納された前記ブレード保持体角度調節部材の角度調節部材側係合部と、前記ブレード保持体用収納部に収納されたブレード保持体のブレード保持体側係合部は、前記固定側挟持フレームの前記開口部にて露出し、かつ、両者が係合しているものであり、
さらに、前記ブレード保持体側係合部は、前記ブレード保持体の側部に設けられた突部と、前記突部の両側に設けられた凹部とにより構成されており、前記角度調節部材側係合部は、前記ブレード保持体角度調節部材の軸部に設けられた前記ブレード保持体の前記突部と係合する係合凹部と、前記ブレード保持体の前記凹部と係合する係合凸部とにより構成されていることを特徴とする絶縁体剥ぎ取り装置。
【請求項１１】
前記ブレードの前記半径方向切刃は、前記ブレード保持体軸方向位置調節部材の中心軸に対して所定の傾斜角にて傾斜するものである請求項１０に記載のケーブルの絶縁体剥ぎ取り装置。
【請求項１２】
前記ブレードの半径方向切刃の刃端面は、装着されたケーブルの垂直中心軸と交差する傾斜刃端面となっている請求項１０または１１に記載のケーブルの絶縁体剥ぎ取り装置。
【請求項１３】
前記ブレードの前記半径方向切刃は、前記ブレード保持体軸方向位置調節部材の中心軸に対して所定の傾斜角にて傾斜するものであり、かつ、前記ブレードの半径方向切刃の刃端面は、装着されたケーブルの垂直中心軸と交差する傾斜刃端面となっている請求項１０に記載のケーブルの絶縁体剥ぎ取り装置。
【請求項１４】
前記操作ハンドルは、前記握り用ハンドルの前記螺杆部に螺合し、回転により前記螺杆部に対して軸方向に移動する螺子部と、外側部に環状の連動部材係合用凹溝とを備え、前記可動側挟持フレームは、基端が前記可動側挟持フレームに固定され、先端部に設けられた係合部が前記環状の連動部材係合用凹溝と係合した連動部材を備えるものである請求項１０ないし１３のいずれかに記載のケーブルの絶縁体剥ぎ取り装置。
【考案の詳細な説明】
【技術分野】
【０００１】
本考案は、送電、配電等に使用される高圧電力用ケーブルの絶縁体を剥ぎ取る絶縁体剥ぎ取り装置に関する。
【背景技術】
【０００２】
従来、送電、配電に使用される高圧電力用ケーブルは、導体、内部半導電被覆層、絶縁体、外部被覆層等を備えている。ケーブルの接続を行う場合、端部の絶縁体を剥ぎ取って導体を露出させ、その後、絶縁体の端部をテーパー状に削りとることが行われている。
絶縁体剥ぎ取り具（ケーブル端末削成工具）としては、カッター４を固定可能かつケーブル半径方向に往復動可能として保持するカッター保持体１７を、ねじ杆６３を有する一対の取付け具８８にて着脱自在に挟持体２に取り付けるとともに、カッター保持体１７又は挟持体２のどちらか一方に螺合の進行によりカッター保持体の逆半径方向削成用刃側を前記挟持体２から浮かせる調節ねじを螺着する構造のものが提案されている（特許文献１参照）。
【先行技術文献】
【特許文献】
【０００３】
【特許文献１】特公平６−０８１３９３号公報
【考案の概要】
【考案が解決しようとする課題】
【０００４】
上述した特許文献１のケーブル端末削成工具は、カッターをケーブルの半径方向に往復動可能とするが、蝶ナットの締め付けを解除してカッターを移動調節し、調整後蝶ナットを締め付けるので不便である。また、カッター保持体又は挟持体のどちらか一方に螺合の進行によりカッター保持体の逆半径方向削成用刃側を前記挟持体から浮かせる調節ねじを螺着する構成である。このために、カッターのケーブル端面に対する角度調節が容易でない。また、上述した特許文献１のものでは、挟持体２は一対のハンドル付き枠体９、１０と、前記枠体９、１０を相互に接近・離間可能として保持する並行移動誘導案内杆１１と、前記枠体間寸法を調節保持する間隔調整機構１２を設けた構造であり、ハンドルとは別に設けるので、構成が複雑であり、両側で間隔調整機構１２のボルト杆５をナット部材４６に螺合により締め付けるので不便であり、しかも、両側の締め付けに手間がかかるものであった。
【０００５】
本考案の目的は、上記の問題点を解決するために工夫されたものであり、ブレード保持体軸方向位置調節部材とブレード保持体角度調節部材によりブレードの位置調節と角度調節を的確かつ簡単に行うことができ、かつ操作ハンドルの回動により挟持フレームの締め付け、操作ハンドルと握り用ハンドルをもってケーブルに対して回動することにより絶縁体を螺旋状に剥ぎ取ることができるケーブルの絶縁体剥ぎ取り装置を提供するものである。
【課題を解決するための手段】
【０００６】
上記目的を達成するものは、以下のケーブルの絶縁体剥ぎ取り装置である。
（１）  軸部と、前記軸部の一端側に設けられた握り部と、前記軸部の他端側に設けられた螺杆部とを有する握り用ハンドルと、前記握り用ハンドルの軸部に基部が固定され、かつケーブルの周面が当接可能な一対のベアリングを備えた固定側挟持フレームと、前記固定側挟持フレームより前記握り用ハンドルの軸部の他端側に位置し、前記軸部に基部が前記軸部の軸方向に移動可能に備えられ、かつ、前記ケーブルの周面に当接可能な一対のベアリングを備え、前記固定側挟持フレームと共同して前記ケーブルを挟持する可動側挟持フレームと、前記握り用ハンドルの螺杆部と螺合し、回転により前記軸部上を移動可能であり、かつ、前記可動側挟持フレームと連結され、回転により、前記可動側挟持フレームを前記軸部上を進退させる操作ハンドルとを備えるケーブルの絶縁体剥ぎ取り装置であって、前記固定側挟持フレームは、前記一対のベアリングの中心線と中心軸がほぼ平行となるように設けられたブレード保持体用収納部と、かつ、前記ブレード保持体用収納部の中心軸に対してほぼ直交する方向に延び、かつ前記ブレード保持体用収納部と連通する角度調節部材用収納部とを備え、
前記ケーブルの絶縁体剥ぎ取り装置は、前記ブレード保持体用収容部に回動と軸方向に移動可能に挿入されたブレード取付け部と、側部に設けられたブレード保持体側係合部とを備えたブレード保持体と、前記角度調節部材用収納部に回動させることにより進退可能に収納され、かつ、前記ブレード保持体のブレード保持体側係合部と係合する角度調整部材側係合部を備え、前記ブレード保持体の回転を規制しかつ微少回動を行うためのブレード保持体角度調節部材と、前記ブレード保持体と螺合により連結され、回転により前記ブレード保持体を軸方向に移動させるブレード保持体軸方向位置調節部材と、前記ケーブルに対する半径方向切刃と軸方向切刃とを備え、前記ブレード保持体に装着されたブレードとを備え、
前記ケーブルの絶縁体剥ぎ取り装置は、前記操作ハンドルの回転操作により、前記固定側挟持フレームの前記一対のベアリングと前記可動側挟持フレームの前記一対のベアリング間にて前記ケーブルを挟持可能であり、かつ、前記ブレード保持体軸方向位置調節部材と前記ブレード保持体角度調節部材により、前記ブレードの半径方向切刃の位置および軸方向切刃の角度を調節可能であることを特徴とするケーブルの絶縁体剥ぎ取り装置。
【０００７】
（２）  前記ケーブルの絶縁体剥ぎ取り装置は、前記ブレード保持体軸方向位置調節部材と前記ブレード保持体角度調節部材により、前記ブレードの半径方向切刃の位置および軸方向切刃の角度を調節し、前記操作ハンドルの回転操作により、前記固定側挟持フレームの前記一対のベアリングと前記可動側挟持フレームの前記一対のベアリング間にて前記ケーブルを挟持した状態において、前記握り用ハンドルと操作ハンドルをもって、前記ケーブルの絶縁体剥ぎ取り装置を挟持する前記ケーブルに対して回転させることにより、前記ケーブルの絶縁体を螺旋状に剥ぎ取り可能である前記（１）に記載のケーブルの絶縁体剥ぎ取り装置。
【０００８】
（３）  前記固定側挟持フレームは、前記ブレード保持体用収納部と前記角度調節部材用収納部とを連通し、前記ブレード保持体角度調節部材を前記角度調節部材用収納部に部分的に露出させる開口部を備え、前記角度調節部材用収納部に収納された前記ブレード保持体角度調節部材の角度調節部材側係合部と、前記ブレード保持体用収納部に収納されたブレード保持体のブレード保持体側係合部は、前記固定側挟持フレームの前記開口部にて露出し、かつ、両者が係合しているものである前記（１）または前記（２）に記載のケーブルの絶縁体剥ぎ取り装置。
（４）  前記ブレード保持体は、前記ブレード保持体軸方向位置調節部材の回動時に、前記ブレード保持体側係合部が前記前記ブレード保持体角度調節部材の前記角度調節部材側係合部にガイドされることにより軸方向への移動調節が可能となっており、
前記ブレード保持体角度調節部材は、前記角度調節部材側係合部の回動時の進退による前記ブレード保持体のブレード保持体側係合部の回動方向への移動により、前記ブレード保持体の角度調節を可能としている前記（１）ないし前記（３）のいずれかに記載のケーブルの絶縁体剥ぎ取り装置。
【０００９】
（５）  前記ブレード保持体側係合部は、前記ブレード保持体の側部に設けられた突部と、前記突部の両側に設けられた凹部とにより構成されており、
前記角度調節部材側係合部は、前記ブレード保持体角度調節部材の軸部に設けられた前記ブレード保持体の前記突部と係合する係合凹部と、前記ブレード保持体の前記凹部と係合する係合凸部とにより構成されている前記（１）ないし前記（４）のいずれかに記載のケーブルの絶縁体剥ぎ取り装置。
（６）  前記ブレードの前記半径方向切刃は、前記ブレード保持体軸方向位置調節部材の中心軸に対して所定の傾斜角にて傾斜するものである前記（１）ないし前記（５）のいずれかに記載のケーブルの絶縁体剥ぎ取り装置。
（７）  前記ブレードの半径方向切刃の刃端面は、装着されたケーブルの垂直中心軸と交差する傾斜刃端面となっている前記（１）ないし前記（６）のいずれかに記載のケーブルの絶縁体剥ぎ取り装置。
【００１０】
（８）  前記操作ハンドルは、前記握り用ハンドルの前記螺杆部に螺合し、回転により前記螺杆部に対して軸方向に移動する螺子部と、外側部に環状の連動部材係合用凹溝とを備え、前記可動側挟持フレームは、基端が前記可動側挟持フレームに固定され、先端部に設けられた係合部が前記環状の連動部材係合用凹溝と係合した連動部材を備えるものである前記（１）ないし（７）のいずれかに記載のケーブルの絶縁体剥ぎ取り装置。
（９）  前記ブレードの前記半径方向切刃は、前記ブレード保持体軸方向位置調節部材の中心軸に対して所定の傾斜角にて傾斜するものであり、かつ、前記ブレードの半径方向切刃の刃端面は、装着されたケーブルの垂直中心軸と交差する傾斜刃端面となっている前記（１）ないし（８）のいずれかに記載のケーブルの絶縁体剥ぎ取り装置。
【００１１】
（１０）軸部と、前記軸部の一端側に設けられた握り部と、前記軸部の他端側に設けられた螺杆部とを有する握り用ハンドルと、前記握り用ハンドルの軸部に基部が固定され、かつケーブルの周面が当接可能な一対のベアリングを備えた固定側挟持フレームと、前記固定側挟持フレームより前記握り用ハンドルの軸部の他端側に位置し、前記軸部に基部が前記軸部の軸方向に移動可能に備えられ、かつ、前記ケーブルの周面に当接可能な一対のベアリングを備え、前記固定側挟持フレームと共同して前記ケーブルを挟持する可動側挟持フレームと、前記握り用ハンドルの螺杆部と螺合し、回転により前記軸部上を移動可能であり、かつ、前記可動側挟持フレームと連結され、回転により、前記可動側挟持フレームを前記軸部上を進退させる操作ハンドルとを備えるケーブルの絶縁体剥ぎ取り装置であって、前記固定側挟持フレームは、前記一対のベアリングの中心線と中心軸がほぼ平行となるように設けられたブレード保持体用収納部と、かつ、前記ブレード保持体用収納部の中心軸に対してほぼ直交する方向に延び、かつ前記ブレード保持体用収納部と連通する角度調節部材用収納部とを備え、前記ケーブルの絶縁体剥ぎ取り装置は、前記ブレード保持体用収容部に回動と軸方向に移動可能に挿入されたブレード取付け部と、側部に設けられたブレード保持体側係合部とを備えたブレード保持体と、前記角度調節部材用収納部に回動させることにより進退可能に収納され、かつ、前記ブレード保持体のブレード保持体側係合部と係合する角度調整部材側係合部を備え、前記ブレード保持体の回転を規制しかつ微少回動を行うためのブレード保持体角度調節部材と、前記ブレード保持体と螺合により連結され、回転により前記ブレード保持体を軸方向に移動させるブレード保持体軸方向位置調節部材と、前記ケーブルに対する半径方向切刃と軸方向切刃とを備え、前記ブレード保持体に装着されたブレードとを備え、前記ケーブルの絶縁体剥ぎ取り装置は、前記操作ハンドルの回転操作により、前記固定側挟持フレームの前記一対のベアリングと前記可動側挟持フレームの前記一対のベアリング間にて前記ケーブルを挟持可能であり、かつ、前記ブレード保持体軸方向位置調節部材と前記ブレード保持体角度調節部材により、前記ブレードの半径方向切刃の位置および軸方向切刃の角度を調節可能であり、かつ、前記ブレード保持体軸方向位置調節部材と前記ブレード保持体角度調節部材により、前記ブレードの半径方向切刃の位置および軸方向切刃の角度を調節し、前記操作ハンドルの回転操作により、前記固定側挟持フレームの前記一対のベアリングと前記可動側挟持フレームの前記一対のベアリング間にて前記ケーブルを挟持した状態において、前記握り用ハンドルと操作ハンドルをもって、前記ケーブルの絶縁体剥ぎ取り装置を挟持する前記ケーブルに対して回転させることにより、前記ケーブルの絶縁体を螺旋状に剥ぎ取り可能であり、さらに、前記固定側挟持フレームは、前記ブレード保持体用収納部と前記角度調節部材用収納部とを連通し、前記ブレード保持体角度調節部材を前記角度調節部材用収納部に部分的に露出させる開口部を備え、前記角度調節部材用収納部に収納された前記ブレード保持体角度調節部材の角度調節部材側係合部と、前記ブレード保持体用収納部に収納されたブレード保持体のブレード保持体側係合部は、前記固定側挟持フレームの前記開口部にて露出し、かつ、両者が係合しているものであり、さらに、前記ブレード保持体側係合部は、前記ブレード保持体の側部に設けられた突部と、前記突部の両側に設けられた凹部とにより構成されており、前記角度調節部材側係合部は、前記ブレード保持体角度調節部材の軸部に設けられた前記ブレード保持体の前記突部と係合する係合凹部と、前記ブレード保持体の前記凹部と係合する係合凸部とにより構成されていることを特徴とする絶縁体剥ぎ取り装置。
（１１）  前記ブレードの前記半径方向切刃は、前記ブレード保持体軸方向位置調節部材の中心軸に対して所定の傾斜角にて傾斜するものである前記（１０）に記載のケーブルの絶縁体剥ぎ取り装置。
（１２）  前記ブレードの半径方向切刃の刃端面は、装着されたケーブルの垂直中心軸と交差する傾斜刃端面となっている前記（１０）または（１１）に記載のケーブルの絶縁体剥ぎ取り装置。
（１３）  前記ブレードの前記半径方向切刃は、前記ブレード保持体軸方向位置調節部材の中心軸に対して所定の傾斜角にて傾斜するものであり、かつ、前記ブレードの半径方向切刃の刃端面は、装着されたケーブルの垂直中心軸と交差する傾斜刃端面となっている前記（１０）に記載のケーブルの絶縁体剥ぎ取り装置。
（１４）  前記操作ハンドルは、前記握り用ハンドルの前記螺杆部に螺合し、回転により前記螺杆部に対して軸方向に移動する螺子部と、外側部に環状の連動部材係合用凹溝とを備え、前記可動側挟持フレームは、基端が前記可動側挟持フレームに固定され、先端部に設けられた係合部が前記環状の連動部材係合用凹溝と係合した連動部材を備えるものである前記（１０）ないし（１３）のいずれかに記載のケーブルの絶縁体剥ぎ取り装置。
【考案の効果】
【００１２】
本考案のケーブルの絶縁体剥ぎ取り装置の前記（１）によれば、操作ハンドルの回転操作により、固定側挟持フレームと可動側挟持フレーム間にてケーブルを簡単に挟持できる。さらに、この絶縁体剥ぎ取り装置によれば、ブレード保持体軸方向位置調節部材とブレード保持体角度調節部材により、ブレードの切刃のケーブルの絶縁体に対する位置と角度を容易に調節でき、ケーブルの絶縁体の剥離操作が容易である。そして、絶縁体剥ぎ取り装置によれば、操作ハンドルと握り用ハンドルをもってケーブルに対して回動することにより、絶縁体を螺旋状に容易に剥ぎ取ることができる。
【００１３】
前記（２）によれば、ケーブルの絶縁体剥ぎ取り装置は、ブレード保持体軸方向位置調節部材とブレード保持体角度調節部材により、ブレードの切刃の角度を調節し、操作ハンドルの回転操作により、固定側挟持フレームと可動側挟持フレームの間にてケーブルを挟持した状態において、握り用ハンドルと操作ハンドルをもって、ケーブルの絶縁体剥ぎ取り装置を挟持するケーブルに対して回転させ、ケーブルの絶縁体を螺旋状に剥ぎ取りできる。
【００１４】
前記（３）によれば、角度調節部材用収納部に収納されたブレード保持体角度調節部材の角度調節部材側係合部が開口部を通じて露出されブレード保持体用収納部に収納されたブレード保持体のブレード保持体側係合部に係合され、ブレード保持体軸方向位置調節部材とブレード保持体角度調節部材を回すだけでブレードの位置調節と角度調節できるので便利である。
前記（４）によれば、ブレード保持体軸方向位置調節部材の回動時ブレード保持体はブレード保持体側係合部がブレード保持体角度調節部材の角度調節部材側係合部にガイドされて軸方向の移動調節でき、ブレード保持体角度調節部材の回動による角度調節部材側係合部の進退運動によりブレード保持体のブレード保持体側係合部が回動方向に移動されてブレード保持体の角度調節できるので便利である。
【００１５】
前記（５）によれば、角度調節部材用収納部に収納されたブレード保持体角度調節部材の係合凹部と係合突部がブレード保持体用収納部に収納されたブレード保持体の凸部と凹部に係合され、ブレード保持体軸方向位置調節部材の回動によりブレード保持体が軸方向に進退調節可能とされ、かつブレード保持体角度調節部材の回動によりブレード保持体が回動調節可能とされるので、ブレードの軸方向の移動調節と、ブレードの角度調節を簡単かつ的確に行うことができる。ブレード保持体軸方向位置調節部材とブレード保持体角度調節部材を回すだけでブレードの高さ調節と切り込み角度の微調整ができるので便利である。
前記（６）によれば、ブレードの半径方向切刃は、ブレード保持体軸方向位置調節部材の中心軸に対して所定の傾斜角にて傾斜するので、ケーブルの絶縁体の円周に対して半径方向の切刃の基端部より切り込むことができる。
前記（７）によれば、ブレードの半径方向切刃の刃端面は、装着されたケーブルの垂直中心軸と交差する傾斜刃端面となっているので、ケーブルの絶縁体に切り込むときの負荷を小さくし、ブレードの破損を防ぐことができる。
【００１６】
前記（８）によれば、操作ハンドルは、可動側挟持フレームに固定した連動部材の先端係合部が操作ハンドルの環状の連動部材係合用凹溝に係合して可動側挟持フレームと操作ハンドルを軸方向に協働可能としてあるので、握り用ハンドルに対する回動により固定側挟持フレームに対して可動側挟持フレームを確実に接離することができるので便利である。
【図面の簡単な説明】
【００１７】
【図１】図１は、本考案の実施例の絶縁体剥ぎ取り装置の一例を示す斜視図である。
【図２】図２は、本考案のケーブルの絶縁体剥ぎ取り装置の正面図である。
【図３】図３は、本考案のケーブルの絶縁体剥ぎ取り装置の一部破断正面図である。
【図４】図４は、本考案のケーブルの絶縁体剥ぎ取り装置の一部破断側面図である。
【図５】図５は、本考案のケーブルの絶縁体剥ぎ取り装置の平面図である。
【図６】図６は、ブレードの正面図である。
【図７】図７は、ブレードの側面図である。
【図８】図８は、ブレード保持体軸方向位置調節部材の正面図である。
【図９】図９は、ブレード保持体軸方向位置調節部材の側面図である。
【図１０】図１０は、ブレードを付けたブレード保持体の正面図である。
【図１１】図１１は、ブレードを付けたブレード保持体の平面図である。
【図１２】図１２は、ブレード保持体角度調節部材の正面図である。
【図１３】図１３は、ブレード保持体角度調節部材の側面図である。
【図１４】図１４は、ブレード保持体軸方向位置調節部材とブレード保持体とブレード保持体角度調節部材の関係を示す要部縦断面図である。
【図１５】図１５は、ブレード保持体とブレード保持体角度調節部材の関係を示す要部横断面図である。
【図１６】図１６は、ブレード保持体とブレード保持体角度調節部材の関係を示す要部拡大横断面図である。
【図１７】図１７は、ケーブルの断面図である。
【図１８】図１８は、本考案のケーブルの絶縁体剥ぎ取り装置にケーブルを挟持した状態の断面図である。
【図１９】図１９は、ブレード保持体のブレードをケーブルの絶縁体に当てた状態の要部側面図である。
【図２０】図２０は、ブレードをケーブルの絶縁体に当てた状態の正面図である。
【図２１】図２１は、ブレードをケーブルの絶縁体に当てた状態の斜視図である。
【図２２】図２２は、ケーブルの絶縁体を剥ぎ取る状態の斜視図である。
【図２３】図２３は、導体の口出しをしたケーブルの断面図である。
【考案を実施するための形態】
【００１８】
以下、本考案における実施形態を図面を参照しつつ説明する。
本考案のケーブルの絶縁体剥ぎ取り装置１は、軸部２１と、軸部２１の一端側に設けられた握り部２２と、軸部２１の他端側に設けられた螺杆部２３とを有する握り用ハンドル２と、握り用ハンドル２の軸部２１に基部３３が固定され、かつケーブル１０の周面が当接可能な一対のベアリング３４を備えた固定側挟持フレーム３と、固定側挟持フレーム３より握り用ハンドル２の軸部２１の他端側に位置し、軸部２１に基部４３が軸部２１の軸方向に移動可能に備えられ、かつ、ケーブル１０の周面に当接可能な一対のベアリング４４を備え、固定側挟持フレーム３と共同してケーブル１０を挟持する可動側挟持フレーム４と、握り用ハンドル２の螺杆部２３と螺合し、回転により軸部２１上を移動可能であり、かつ、可動側挟持フレーム４と連結され、回転により、可動側挟持フレーム４を軸部２１上を進退させる操作ハンドル５とを備えるものである。
特に、固定側挟持フレーム３は、一対のベアリング３４の中心線と中心軸がほぼ平行となるように設けられたブレード保持体用収納部３５と、かつ、ブレード保持体用収納部３５の中心軸に対してほぼ直交する方向に延び、かつ、ブレード保持体用収納部３５と連通する角度調節部材用収納部３６とを備える。
ケーブルの絶縁体剥ぎ取り装置１は、ブレード保持体用収容部３５に回動と軸方向に移動可能に挿入されたブレード取付け部６１と、側部に設けられたブレード保持体側係合部６２とを備えたブレード保持体６と、角度調節部材用収納部３６に回動させることにより進退可能に収納され、かつ、ブレード保持体６のブレード保持体側係合部６２と係合する角度調整部材側係合部８２を備え、ブレード保持体６の回転を規制しかつ微少回動を行うためのブレード保持体角度調節部材８と、ブレード保持体６と螺合により連結され、回転によりブレード保持体６を軸方向に移動させるブレード保持体軸方向位置調節部材７と、ケーブル１０に対する半径方向切刃９ａと軸方向切刃９ｂとを備え、ブレード保持体６に装着されたブレード９とを備える。
さらに、ケーブルの絶縁体剥ぎ取り装置１は、ブレード保持体軸方向位置調節部材７とブレード保持体角度調節部材８により、ブレード９の半径方向切刃９ａの位置および軸方向切刃９ｂの角度を調節可能とし、操作ハンドル５の回転操作により、固定側挟持フレーム３の一対のベアリング３４と可動側挟持フレーム４の一対のベアリング４４間にてケーブル１０を挟持可能としたものである。
そして、ケーブルの絶縁体剥ぎ取り装置１は、ブレード保持体軸方向位置調節部材７とブレード保持体角度調節部材８により、ブレード９の半径方向切刃の位置および軸方向切刃の角度を調節し、操作ハンドル５の回転操作により、固定側挟持フレーム３の一対のベアリングと可動側挟持フレーム４の一対のベアリング間にてケーブル１０を挟持した状態において、握り用ハンドル２と操作ハンドル５をもって、ケーブルの絶縁体剥ぎ取り装置１を挟持するケーブル１０に対して回転させることにより、ケーブル１０の絶縁体を螺旋状に剥ぎ取るようにしたものである。
【００１９】
本考案のケーブルの絶縁体剥ぎ取り装置１の使用対象となるケーブルは、例えば、図１７、図２３に示すような、ケーブル１０である。このケーブル１０は、導体１０ａと、導体１０ａを被覆する導体遮蔽層１０ｂと、導体遮蔽層１０ｂを被包する絶縁体１０ｃと、絶縁体の外周を被覆する絶縁遮蔽層１０ｄとを備えている。
この考案のケーブルの絶縁体剥ぎ取り装置１は、ケーブル１０の絶縁体１０ｃを剥ぎ取って導体を露出して口出しするために使用するものである。本考案のケーブルの絶縁体剥ぎ取り装置１では、絶縁体剥ぎ取り装置１をケーブルに装着し、ケーブルの軸に対して螺旋状に回動させることにより、導体１０ａを被覆する導体遮蔽層１０ｂから外周の絶縁遮蔽層１０ｄまでを螺旋状に剥ぎ取ることができる（図２２、図２３参照）。図１８ないし図２１に示すように、ブレード９の軸方向切刃９ｂを導体の導体遮蔽層１０ｂに臨ませて、導体１０ａには傷をつけないようにぎりぎりの位置にて、遮蔽層を剥ぎ取ることが好ましい。最後に、ブレードを螺旋状ではなく、円周方向に回すことにより螺旋状に剥ぎ取られた絶縁体１０ｃ等の遮蔽層を切断することができる。
【００２０】
図１ないし図５に示すように、ケーブルの絶縁体剥ぎ取り装置１は、握り用ハンドル２と、固定側挟持フレーム３と、可動側挟持フレーム４と、操作ハンドル５とを備える。
握り用ハンドル２は、軸部２１と、軸部２１の一端側に設けられた握り部２２と、軸部２１の他端側に設けられた螺杆部２３とを有する。握り用ハンドル２は、金属製であることが好ましい。実施例の握り用ハンドル２は、軸部２１の他端側に固定側挟持フレーム３と可動側挟持フレーム４を取り付ける角軸部２４を備え、角軸部２４の端部に、螺杆部２３を備えている。螺杆部２３は、軸部に螺子を刻設したものとなっている。
この実施例の軸部２１は、断面円形の軸部２１ａと断面四角形の角軸部２４からなる。また、断面円形の軸部２１ａと断面四角形の角軸部２は、螺子部２５にて螺合し、両者は連結されている。軸部２１ａと角軸部２４は、一体に設けてもよい。
【００２１】
図１ないし図１１に示すように、固定側挟持フレーム３は、基部３３にて握り用ハンドル２の軸部２１に固定され、ケーブル１０の周面が当接可能な一対のベアリング３４、３４を備えている。固定側挟持フレーム２は、金属製であることが好ましい。
フレーム本体３０は、板状で上面に四角形の器体３１と後部に基部３３を備える。器体３１には、ブレード保持体軸方向位置調節部材７とブレード保持体角度調節部材８が備えられている。また、フレーム本体３０は、下面両側に所定間隔離間した２つの支持壁３２、３２を備えている。そして、支持壁３２、３２には、ベアリング３４、３４が回動自由に設けられている。一方の支持壁３２は、ブレード保持体６側であり、基部３３の側部に位置し、他方の支持壁３２は、フレーム本体３０の端部寄りに位置している（図４参照）。そして、一方の支持壁３２には、前後に所定間隔離間した２つのベアリング３４が、軸３４ａにより回動自由に取り付けられている。他方の支持壁３２にも、前後に所定間隔離間した２つのベアリング３４が、軸３４ａにより回動自由に取り付けられている。
そして、フレーム本体３０は、基部３３に角軸部２４を挿通する角孔３３ａを備えている。角孔３３ａには、握り用ハンドル２の角軸部２４が挿入され、側方から螺子２６により締め付け固定されている。
【００２２】
可動側挟持フレーム４は、固定側挟持フレーム３より握り用ハンドル２の軸部２１の他端側に位置している。可動側挟持フレーム４は、基部４３が軸部２１に軸部２１の軸方向に移動可能に備えられている。また、可動側挟持フレーム４は、ケーブル１０の周面に当接可能な一対のベアリング４４を備え、固定側挟持フレーム３と共同してケーブル１０を挟持可能となっている。
可動側挟持フレーム４は、フレーム本体４０を備える。フレーム本体４０は、ケーブル１０の周面を当接させる一対のベアリング４４、４４を備えている。フレーム本体４０は、握り用ハンドル２の軸部２１に取り付けられており、かつ、フレーム本体４０の基部４３が、回動方向に固定的（回転しないように）で、軸方向に移動可能となっている。この実施例では、握り用ハンドル２の角軸部２４に、フレーム本体４０の基部４３が回動方向に固定的（回転しないように）で、軸方向に移動可能となっている。固定側挟持フレーム３は、金属製であることが好ましい。
可動側挟持フレーム４のフレーム本体４０は、板状で上面の両側に所定間隔離間した２つの支持壁４２、４２を備えている。一方の支持壁４２は、可動側挟持フレーム４の基部４３の側部に形成され、他方の支持壁４２は、フレーム本体４０の端部寄りに形成されている。そして、一方の支持壁４２には、ブレード９側に２つベアリング４４が、軸４４ａにより回動自由に軸支されている。他方の支持壁４２にも、前後に２つのベアリング４４が、回動自由に軸支されている。
可動側挟持フレーム４のフレーム本体４０には、角孔４３ａを有する基部４３が一体に設けられている。角孔４３ａにより、フレーム本体４０は、握り用ハンドル２の軸部２１の角軸部２４に軸方向に摺動可能となっている。
固定側挟持フレーム３の下面と可動側挟持フレーム４の上面は向き合った状態となっている。そして。可動側挟持フレーム４は、固定側挟持フレーム３方向に進退可能となっており、固定側挟持フレーム３のベアリング３４と可動側挟持フレーム４のベアリング４４との間にケーブル１０の外側部を挟持できるものとなっている。
固定側挟持フレーム３と可動側挟持フレーム４のブレード側の支持壁には、各２つのベアリングを備え、ブレードに近い位置でケーブル１０を広い面積で安定的に挟持できるものとなっている。また、この実施例のケーブルの絶縁体剥ぎ取り装置１では、固定側挟持フレーム３は、ケーブルを挟持するための２つのベアリング間でありそれらと近接する位置にブレード９を備えるため、ブレード９を確実にケーブルに切り込むことができるものとなっている。
【００２３】
固定側挟持フレーム３は、ブレード保持体用収納部３５と、このブレード保持体用収納部３５と直交するように設けられる角度調節部材用収納部３６と、ブレード保持体用収納部３５と角度調節部材用収納部３６とを連通し、ブレード保持体用収納部３５に収納されたブレード保持体角度調節部材８を部分的に露出させる開口部３７とを備えている。ブレード保持体６は、側部にブレード保持体側係合部６２を有している。そして、ブレード保持体角度調節部材８は、軸部８０にブレード保持体６のブレード保持体側係合部６２と係合可能である角度調節部材側係合部８２を有している。角度調節部材用収納部３６に収納されたブレード保持体角度調節部材８の角度調節部材側係合部８２は、開口部３７にてブレード保持体用収納部３５に露出しており、ブレード保持体用収納部３５に収納されたブレード保持体６のブレード保持体側係合部６２と係合している。
【００２４】
固定側挟持フレーム３のブレード保持体用収納部３５は、一対のベアリング３４の中心線と中心軸がほぼ平行となるように設けられている。固定側挟持フレーム３の角度調節部材用収納部３６は、ブレード保持体用収納部３５の中心軸に対してほぼ直交する方向に延びるものとなっている。
図１４ないし図１６に示すように、固定側挟持フレーム３は、ブレード保持体用収納部３５とこのブレード保持体用収納部３５と直交するように設けられた角度調節部材用収納部３６と、それらを部分的に連通する開口部３７を備えている。
この実施例では、フレーム本体３０は、器体３１を持っている、器体３１は、一対のベアリング３４の中心線と中心軸がほぼ平行となるように設けられたブレード保持体軸方向位置調節部材７のための軸孔３８を備えている。また、軸孔３８の中心軸は、ブレード保持体用収納部３５の中心軸とは一致している。また、ブレード保持体用収納部３５に隣接する角度調節部材用収納部３６が設けられている。
器体３１には、固定側挟持フレーム３に垂直方向に設けられたブレード保持体用収納部３５の側部の一部を切り取るように、かつブレード保持体用収納部３５と直交するように角度調節部材用収納部３６が設けられている。また、ブレード保持体用収納部３５も、角度調節部材用収納部３６の側部の一部を切り取るように延びるものとなっている。つまり、ブレード保持体用収納部３５と角度調節部材用収納部３６とは、交差部を備え、その交差部により開口部３７が形成されている。開口部３７は、ブレード保持体角度調節部材８の角度調節部材側係合部８２の係合突部８２ｂが露出できる大きさおよび形状となっている。
ブレード保持体角度調節部材８は、角度調節部材用収納部３６に回動可能に収納されている。そして、ブレード保持体角度調節部材８の角度調節部材側係合部８２は、上述した開口部３７からブレード保持体用収納部３５に露出している。そして、角度調節部材側係合部８２は、ブレード保持体６に設けられたブレード保持体側係合部６２と係合している。ブレード保持体６のブレード保持体側係合部６２は、角度調節部材側係合部８２に対してスライド可能となっている。
【００２５】
固定側挟持フレーム３は、回動自由に軸支したブレード保持体軸方向位置調節部材７を備える。ブレード保持体軸方向位置調節部材７は、螺合により、ブレード保持体用収納部３５に収納されたブレード保持体６と連結している。ブレード保持体６は、ブレード保持体軸方向位置調節部材７の回動時に、ブレード保持体側係合部６２がブレード保持体角度調節部材８の角度調節部材側係合部８２により、ガイドされ、ブレード保持体軸方向位置調節部材７の軸方向に移動可能となっている。これにより、ブレード保持体６に取り付けられるブレード９の軸方向位置を調整可能となっている。
ブレード保持体角度調節部材８は、回転させることにより、角度調節部材用収納部３６の軸方向に移動可能となっている。ブレード保持体角度調節部材８の回動による角度調節部材側係合部８２の進退運動により、ブレード保持体６のブレード保持体側係合部６２が回動する。これによりブレード保持体６の角度調節を可能としている。
【００２６】
図３、図４に示すように、フレーム本体３０は、フレーム本体３０の２つのベアリング３４のほぼ中心線とほぼ平行になるように設けられた軸孔３８を備えている。ブレード保持体軸方向位置調節部材７は、軸孔３８内に挿入され、回動自由となっている。また、ブレード保持体軸方向位置調節部材７の軸部７０には、螺子部７１が設けられてる。軸部７０の螺子部７１は、ブレード保持体収納部３５に収納されたブレード保持体６の基端に螺合により連結されている。
ブレード保持体用収納部３５は、固定側挟持フレーム３の支持壁３２、３２の前後に備えたベアリング３４、３４の中間位置に設けられ、ブレード保持体６を上下に移動可能に収容している。また、ブレード保持体６の基端部の凹部６３内には、図１４に示すように、バネ等の付勢部材６５が備えられてる。付勢部材６５により、ブレード保持体７をフレーム本体３０より離間する方向に付勢している。ブレード保持体６は、付勢部材６５により付勢されているので、ブレード保持体６の軸方向への移動操作時あるいは回動方向への回動操作時に、ブレード保持体６ががたつくことがない。
【００２７】
図１４に示すように、ブレード保持体６は、ブレード保持体用収容部３５に回動可能かつ軸方向に移動可能に収納されている。ブレード保持体６は、ブレード９を取り付ける取付け部６１と、側部に設けられたブレード保持体側係合部６２とを備えている。
図１０、図１１および図１４ないし図１６に示すように、ブレード保持体６は、軸部６０を備え、この軸部６０が、ブレード保持体用収納部３５に回動可能および軸方向に移動可能に挿入されている。ブレード保持体６の基端には、ブレード保持体軸方向位置調節部材７の螺子部７１と螺合する雌ねじ部を備えており、両者の螺合により、ブレード保持体軸方向位置調節部材７は、ブレード保持体６と連結されている。また、ブレード保持体６は、外側部に設けられたブレード保持体側係合部６２と、下部に設けられたブレード９を取り付ける取付け部６１を備えている。ブレード保持体６のブレード保持体側係合部６２とブレード保持体角度調節部材８の軸部８０の角度調節部材側係合部８２は係合している。そして、ブレード保持体軸方向位置調節部材７を回動した時、ブレード保持体６は回転せず、ブレード保持体軸方向位置調節部材７の螺子部７１がブレード保持体６の螺孔６４に対して回転し、ブレード保持体６は、ブレード保持体側係合部６２が角度調節部材側係合部８２にガイドされて軸方向に移動する。
【００２８】
図１０および図１１に示すように、ブレード保持体６は、軸部６０の基端部に設けられた凹部６３と、ブレード保持体軸方向位置調節部材７の螺子部（雄ねじ部）７１を螺合する螺孔（雌ねじ部）６４と、軸部６０の外側面に設けられた軸方向に延びるブレード保持体側係合部６２と、下部に設けられた切り欠き状のブレード取付け部６１を備えている。
ブレード保持体６のブレード保持体側係合部６２は、外側部に設けられるとともに、ブレード保持体６の上端より軸方向に所定長延びる凸部６２ａと、凸部６２ａの両側に設けられ、ブレード保持体６の上端より凸部６２ａと平行に軸方向に延びる凹部６２ｂを備えている。凹部６２ｂは、凸部６２ａの両側を断面Ｌ状に切り欠くことにより形成されている。
図７および図８に示すように、ブレード保持体軸方向位置調節部材７は、一端に円形のつまみ部を備えている。図１０に示すように、ブレード保持体６のブレード取付け部６１は、ブレード保持体６の下部にブレード保持体側係合部６２が設けられた面と交差する凹状部となっている。ブレード取付け部６１の取付け面は、平坦面となっている上壁６１ａと一側側壁６１ｂを備える。上壁６１ａと一側側壁６１ｂにブレード９の上面と一側面を当てることにより、ブレード９は、ブレード取付け部６１の取付け面に位置決めすることができる。ブレード９は、ブレード９に設けられた取付け孔を貫通し、ブレード取付け部６１と螺合する螺子６６によりブレード取付け部６１に脱着可能に固定されている。
なお、この実施例では、ブレード保持体軸方向位置調節部材７は、軸部７０とつまみ部が別部材となっている。しかし、つまみ部と軸部は一体であってもよい。  また、ブレード保持体６には、フレーム本体から脱落しないように抜け止め（図示せず）を設けることが好ましい。例えば、ブレード保持体６に幅広の抜け止め用溝を別に設け、この抜け止め用溝にフレーム本体に螺合した螺子を係合させる。この抜け止めは、ブレード保持体６の軸方向の移動と回動方向の角度調節に支障のないように設けられる。
【００２９】
ブレード保持体角度調節部材８は、回動させることにより、角度調節部材用収納部３６の軸方向に移動し、かつ、ブレード保持体６のブレード保持体側係合部６２を把持し、ブレード保持体６の回転を規制しかつ微少回動を行うものである。  図１２および図１３に示すように、ブレード保持体角度調節部材８は、角度調節部材側係合部８２が設けられた軸部８０と、先端に設けられた螺子部８１を備える。
図１４ないし図１６に示すように、ブレード保持体角度調節部材８は、軸部８０がブレード保持体用収納部３５の中心軸に対してほぼ直交する方向に延びる角度調節部材用収納部３６に回動自由に収納されている。軸部８０の先端の螺子部８１は、フレーム本体３０の器体３１に設けられた螺孔３９を螺合している。ブレード保持体角度調節部材８は、一端に円形のつまみ部を備えている。
ブレード保持体角度調節部材８の角度調節部材側係合部８２は、開口部３７よりブレード保持体用収納部３５側に露出し、ブレード保持体６のブレード保持体側係合部６２と係合している。
図１５および図１６に示すように、ブレード保持体角度調節部材８の軸部８０の角度調節部材側係合部８２は、ブレード保持体６の凸部６２ａと係合する係合凹部８２ａと、ブレード保持体６の凹部６２ｂと係合する係合突部８２ｂとを備えている。
係合凹部８２ａは、軸部８０に設けられた環状凹部であり、係合凹部８２ａの幅と深さは、ブレード保持体側係合部６２の凸部６２ａの幅と突出高さとほぼ同じものとなっている。係合突部８２ｂは、軸部８０と同一径であり、係合凹部８２ａの両側には、係合凸部が形成されている。この実施例では、一方の係合突部は、軸部８０の一部であり、他方の係合突部８２ｂは、係合凹部８２ａより先端側に設けられた環状突部８２ｂである。２つの係合突部８２ｂ間に、ブレード保持体側係合部６２の凸部６２ａが収納されている。また、２つの係合突部８２ｂは、ブレード保持体側係合部６２の２つの凹部６２ｂにそれぞれ進入している。
【００３０】
図１５および図１６に示すように、ブレード保持部６の軸部６０のブレード保持体側係合部６２は、ブレード保持体角度調節部材８の軸部８０の角度調節部材側係合部８２と係合している。具体的には、ブレード保持体角度調節部材８の軸部８０の係合凹部８２ａと係合突部８２ｂが、ブレード保持体６の凸部６２ａと凹部６２ｂとに遊合状態で係合している。
したがって、ブレード保持体軸方向位置調節部材７を回動することにより、ブレード保持部６は、ブレード保持体側係合部６２とブレード保持体角度調節部材８の軸部８０の角度調節部材側係合部８２とが係合した状態で軸方向に移動する。これにより、ブレード保持部６に取り付けたブレード９も軸方向に移動し、その位置が調節される。
また、ブレード保持体角度調節部材８を回動することにより、軸部８０が軸方向に進退し、角度調節部材側係合部８２の進退により、ブレード保持部６の軸部６０のブレード保持体側係合部６２が回動する。これにより、ブレード９の切り込み角度が調節される。
詳細に説明すると、ブレード保持体６の凸部６２ａと凹部６２ｂが、ブレード保持体角度調節部材８の係合凹部８２ａと係合突部８２ｂが相互に係合することにより、ブレード保持体軸方向位置調節部材７の回動時には、ブレード保持体角度調節部材８は静止状態を維持する。静止状態のブレード保持体角度調節部材８の係合凹部８２ａと係合突部８２ｂは、ブレード保持体６の凸部６２ａと凹部６２ｂの軸方向移動をガイドする。ブレード保持体６の軸方向への移動により、ブレードの９の位置調節が行われる。
また、ブレード保持体角度調節部材８を回動することにより、軸部の角度調節部材側係合部８２が進退し、ブレード保持体角度調節部材８と係合しているブレード保持体６は、その中心軸を軸として回動する。これにより、ブレード９の角度が変化する。
初期状態では、ブレード保持体６に取り付けたブレード９の角度は、０度で、剥離対象のケーブル１０の中心軸にほぼ直交する（言い換えれば、ブレード保持体６の中心軸にほぼ平行となっている）。その初期状態より、ブレード保持体角度調節部材８を回動し、ブレード保持体６を回動させてブレードの切り込み角度を調節し、ブレード９を剥ぎ取りを行うケーブル１０の絶縁体の端面に当てる。
この状態からブレード９をケーブルの軸に対して回動させることにより、ブレードを螺旋状に切り込ませて、導体１０ａを被覆する導体遮蔽層１０ｂから外周の絶縁遮蔽層１０ｄまでを螺旋状に剥ぎ取る。
また、螺旋状に剥離させた帯状のケーブル１０の絶縁体を環状（真っ直ぐ）に切断する場合には、ブレード保持体６のブレード９は、上述した初期状態に戻し、ケーブル１０の中心軸にほぼ直交するものとする。この状態でブレード９をケーブルの軸に対して回動させることにより、螺旋状に剥離させた帯状のケーブル１０の絶縁体を切断する。
【００３１】
ブレード９は、図６および図７に示すように、ケーブル１０に対する半径方向切刃９ａ、軸方向切刃９ｂ、ブレード基部９０とを備える。そして、半径方向切刃９ａは、ブレード基部９０から刃先まで徐々に幅が狭くなるように形成されている。
また、図１４に示すように、半径方向切刃９ａは、刃面が装着されるケーブルの中心軸に対してケーブルの剥離方向側に傾斜したものとなっている。軸方向切刃９ｂは、半径方向切刃９ａの先端に半径方向切刃より直交するようにかつ固定側挟持フレーム３の外側部方向に延びるものとなっている。さらに、軸方向切刃９ｂは、上面が、切刃９ｂおよび切刃９ａの先端に向かって傾斜している。
さらに、図２０および図２１に示すように、半径方向切刃９ａの刃端面９ｃは、装着されたケーブル１０の垂直中心軸Ｘ−Ｘと交差する傾斜刃端面となっている。このため、半径方向切刃９ａの刃端面９ｃの下部の刃端９ｄ（軸方向切刃９ｂの前部の刃端でもある）は、装着されるケーブル１０の垂直中心軸よりブレード９の進行方向（図２１の矢印方向）の後方に位置するものとなっている。そして、半径方向切刃９ａの刃端面９ｃと装着されたケーブル１０の垂直中心軸との交差角度θ（傾斜角）は、１０〜４０度とするのが好ましく、特に、２０〜３０度であることが好ましい（図１４参照）。このようにブレード９の半径方向切刃９ａの刃端面９ｃを切断対象のケーブル１０の垂直中心軸と交差するものとすることにより、半径方向切刃９ａの刃端面９ｃのケーブル１０への切り込みが容易なものとなる。ブレード９の半径方向切刃９ａの刃端面９ｃが、交差角度θにて交差するものとしたので、ブレード９を回動して絶縁体に切り込むときの刃先にかかる負荷を小さくでき、切刃の破損を防ぐことができる。軸方向切刃９ｂは、導体遮蔽層１０ｂと導体１０ａの境界付近に円周に沿って切り込まれ、導体遮蔽層１０ｂが導体１０ａより剥がされる。ブレード保持体６およびブレード９は、金属により形成することが好ましい。
ブレード９は、ブレード保持部６のブレード取付け部６１に、螺子６６により着脱可能に取り付けられている。
図１８ないし図２１に示すように、ブレード９は、装着されたケーブル１０に対して、半径方向切刃９ａが、ケーブル１０の絶縁体１０ｃの端面接触するように、軸方向切刃９ｂが、ケーブル１０の導体遮蔽層１０ｂと導体１０ａの境界付近となるようにセットされる。
図１４に示すように、ブレード９は、ブレード保持体６の中心軸に対して、ブレード９の半径方向切刃９ａの刃端面９ｃが、交差角度θにて交差するものとなっている。この交差角度は、上述した、装着されたケーブル１０の垂直中心軸との交差角度と同じである。交差角度θは、１０〜４０度とするのが好ましく、特に、２０〜３０度が好ましい。
ブレード９は、半径方向切刃９ａの刃面が、装着されたケーブル１０の水平中心軸との交差角度が所定の角度（切込み角）となるようにセットされる。ブレードのケーブル端面に対する切込み角度は、０度ないし５度の範囲で調節される。
上述したようにブレードの半径方向切刃９ａが、所定の傾斜角θかつ所定の切り込み角度にてセットされることにより、半径方向切刃９ａは、確実にケーブル１０の絶縁体１０ｃに切り込むことができる。また、半径方向切刃９ａの切りこみに追従して、軸方向切刃９ｂも導体１０ａの導体遮蔽層１０ｂに確実に切り込むものとなる。そして、ブレード９により、ケーブル１０の絶縁体１０ｃ（導体遮蔽層１０ｂより外周まで）は、約２〜３ｍｍの幅で螺旋状の帯状に剥ぎ取られる（図２２参照）。
【００３２】
図３に示すように、操作ハンドル５は、握り用ハンドル２の螺杆部２３と螺合し、回転により軸部２１上を移動可能である。また、操作ハンドル５は、可動側挟持フレーム４と連結され、回転させることにより、可動側挟持フレーム４を軸部２１上を進退させる。操作ハンドル５は、金属製であることが好ましい。
操作ハンドル５は、軸孔５１の上部に設けられた螺孔５２を備える。螺孔５２は、握り用ハンドル２の螺杆部２３と螺合している。操作ハンドル５は、回動により螺杆部２３の軸方向に進退する。握り用ハンドル２の螺杆部２３の長さは、固定側挟持フレーム３と可動側挟持フレーム４との最大離間距離より若干長いものとなっている。
握り用ハンドル２の螺杆部２３は、筒状ハンドル部５０の軸孔５１の螺孔５２と螺合している。螺杆部２３の端部は、筒状ハンドル部５０の内部に進入しており、螺杆部２３の一端には抜け止め金具５３が螺子５４で固定されている。操作ハンドル５と可動側挟持フレーム４間には、皿ばね等の発条５６が配置されている。
【００３３】
可動側挟持フレーム４には、操作ハンドル５と連結するための連結部材１１が固定されている。
図２および図３に示すように、連結部材１１は、先端がＬ型となって先端係合部１１ａを有する金属製部材である。連結部材１１は、基端部１１ｂが螺子で可動側挟持フレーム４の基部４３に固定されている。連結部材１１の先端係合部１１ａは、操作ハンドル５の上部の連動部材係合用凹溝５５と係合している。
【００３４】
操作ハンドル５の筒状ハンドル部５０は、外周上部に連結部材１１の先端と係合するための環状の連結部材係合用凹溝５５を備えている。操作ハンドル５は、可動側挟持フレーム４に固定された連動部材１１に対して回動は自由である。操作ハンドル５を回動することにより、操作ハンドル５の軸方向移動に押されるようにして、可動側挟持フレーム４は軸方向に移動する。
操作ハンドル５の回動により、可動側挟持フレーム４は角軸部２４に沿って固定側挟持フレーム３方向に移動し、固定側挟持フレームのベアリング３４と可動側挟持フレーム４のベアリング４４との間にケーブル１０を挟持する。
操作ハンドル５は、逆に回動させることにより可動側挟持フレーム４は、角軸部２４に沿って固定側挟持フレーム３より離間する方向に移動する。
【００３５】
固定側挟持フレーム３と可動側挟持フレーム４のベアリング間によりケーブル１０を挟持した後、ブレード保持体軸方向位置調節部材７とブレード保持体角度調節部材８によりケーブル１０の絶縁体１０ｃに対するブレード９の半径方向切刃９ａの位置調節と軸方向切刃９ｂの角度調節を行う。そして、握り用ハンドル２と操作ハンドル５をもってケーブル１０に対して回動することにより、絶縁体を剥ぎ取ることができる。
【００３６】
図１ないし図３、図１８ないし図２３を用いて、本考案のケーブルの絶縁体剥ぎ取り装置１によるケーブル１０の絶縁体１０ｃの剥ぎ取り操作を説明する。
操作ハンドル５を回転させて、固定側挟持フレーム３と可動側挟持フレーム４のベアリング間にケーブル１０を挟持させ、ブレード９をケーブルの絶縁体１０ｃの端面に近づけた位置で締め付ける。そして、ブレード保持体軸方向位置調節部材７のつまみを回転させて絶縁体１０ｃに対するブレードの高さ調節を行う。ブレード保持体軸方向位置調節部材７のつまみを右に回転するとブレード９は下がる。ケーブルサイズにより相違するが、例えば、ブレード保持体軸方向位置調節部材７のつまみの１回転ないし１．５回転で適正な剥ぎ取り高さに調整される。次に、ブレード保持体角度調節部材８を回動してブレード９の切り込み角度を調節する。ブレード保持体角度調節部材８は、つまみの約０．５回転で、ブレード９は適正な切り込み角度に調整される。
ブレード９の高さ調節と角度調節後、握り用ハンドル２と操作ハンドル５を両手で持ち、ケーブルの円周方向に回転させ、ブレード９で絶縁体１０ｃを約２〜３ｍｍの幅で螺旋状に剥ぎ取る。絶縁体の剥ぎ取りが目的とする長さに到達した後、ブレード保持体角度調節部材８を回動させて、ブレードの半径方向切刃をケーブルの中心軸と直交する角度に調整する。そして、握り用ハンドル２と操作ハンドル５を両手で持ち回転することにより螺旋状に剥がした絶縁体１０ｃが切断される。これにより、図２３に示すように、ケーブル１０は絶縁体１０ｃを剥がされ、導体１０ａが口出した状態となる。
その後、別の絶縁体剥ぎ取り装置（図示せず）で導体を口出しした絶縁体をテーパー状に切削する。さらには、外周部の遮蔽層の剥ぎ取りを行う。
ケーブルの接続を行う場合、例えば、接続する両方のケーブルの端部の導体の口出しを行い、絶縁体を適宜手段でテーパー状に切削し、さらに外周部を被包する絶縁遮蔽層の剥ぎ取りを行う。ケーブルの端部を合わせ、別に用意した導電性スリーブで導体を接続し、スリーブの周面と両側のケーブルの絶縁体に絶縁製部材を巻き付けて接続する。
上記実施例では、ケーブルの端面から絶縁体を剥ぎ取る場合を説明したが、これに限られるものではなく、ケーブルの中間の絶縁体を剥ぎ取る場合にも使用できる。
【００３７】
上記実施形態を示したが、この発明はこの形態に限定されるものではなく、この発明の要旨を逸脱しない範囲において、様々な形態で実施できるものである。
【符号の説明】
【００３８】
１  絶縁体剥ぎ取り装置
２  握り用ハンドル  
３  固定側挟持フレーム
４  可動側挟持フレーム
５  操作ハンドル 
６  ブレード保持体
７  ブレード保持体軸方向位置調節部材
８  ブレード保持体角度調節部材
９  ブレード
９ａ  半径方向切刃
９ｂ  軸方向切刃
１０  ケーブル
１０ａ  導体
１０ｂ  導体遮蔽層
１０ｃ  絶縁体
１０ｄ  絶縁遮蔽層
１１  連動部材  
２１  軸部
２３  螺杆部
２４  角軸部
３０  フレーム本体
３３  基部
３４  ベアリング
３５  ブレード保持体収納部
３６  角度調節部材用収納部
３７  開口部
４０  フレーム本体
４３  基部
４４  ベアリング
５０  筒状ハンドル部
５５  連動部材係合用凹溝
６０  軸部
６１  ブレード取付け部
６２  ブレード保持体側係合部
６２ａ  凸部
６２ｂ  凹部
７０  軸部
７１  螺子部
８０  軸部
８１  螺子部
８２  角度調節部材側係合部
８２ａ  係合凹部
８２ｂ  係合突部
【図１】
0003160548.tif 000003
【図２】
0003160548.tif 000004
【図３】
0003160548.tif 000005
【図４】
0003160548.tif 000006
【図５】
0003160548.tif 000007
【図６】
0003160548.tif 000008
【図７】
0003160548.tif 000009
【図８】
0003160548.tif 000010
【図９】
0003160548.tif 000011
【図１０】
0003160548.tif 000012
【図１１】
0003160548.tif 000013
【図１２】
0003160548.tif 000014
【図１３】
0003160548.tif 000015
【図１４】
0003160548.tif 000016
【図１５】
0003160548.tif 000017
【図１６】
0003160548.tif 000018
【図１７】
0003160548.tif 000019
【図１８】
0003160548.tif 000020
【図１９】
0003160548.tif 000021
【図２０】
0003160548.tif 000022
【図２１】
0003160548.tif 000023
【図２２】
0003160548.tif 000024
【図２３】
0003160548.tif 000025
【手続補正書】
【提出日】平成22年4月30日(2010.4.30)
【手続補正１】
【補正対象書類名】実用新案登録請求の範囲
【補正対象項目名】全文
【補正方法】変更
【補正の内容】
【実用新案登録請求の範囲】
【請求項１】
軸部と、前記軸部の一端側に設けられた握り部と、前記軸部の他端側に設けられた螺杆部とを有する握り用ハンドルと、
前記握り用ハンドルの軸部に基部が固定され、かつケーブルの周面が当接可能な一対のベアリングを備えた固定側挟持フレームと、
前記固定側挟持フレームより前記握り用ハンドルの軸部の他端側に位置し、前記軸部に基部が前記軸部の軸方向に移動可能に備えられ、かつ、前記ケーブルの周面に当接可能な一対のベアリングを備え、前記固定側挟持フレームと共同して前記ケーブルを挟持する可動側挟持フレームと、
前記握り用ハンドルの螺杆部と螺合し、回転により前記軸部上を移動可能であり、かつ、前記可動側挟持フレームと連結され、回転により、前記可動側挟持フレームを前記軸部上を進退させる操作ハンドルとを備えるケーブルの絶縁体剥ぎ取り装置であって、
前記固定側挟持フレームは、前記一対のベアリングの中心線と中心軸がほぼ平行となるように設けられたブレード保持体用収納部と、かつ、前記ブレード保持体用収納部の中心軸に対してほぼ直交する方向に延び、かつ前記ブレード保持体用収納部と連通する角度調節部材用収納部とを備え、
前記ケーブルの絶縁体剥ぎ取り装置は、前記ブレード保持体用収納部に回動と軸方向に移動可能に挿入されたブレード取付け部と、側部に設けられたブレード保持体側係合部とを備えたブレード保持体と、前記角度調節部材用収納部に回動させることにより進退可能に収納され、かつ、前記ブレード保持体のブレード保持体側係合部と係合する角度調節部材側係合部を備え、前記ブレード保持体の回転を規制しかつ微少回動を行うためのブレード保持体角度調節部材と、前記ブレード保持体と螺合により連結され、回転により前記ブレード保持体を軸方向に移動させるブレード保持体軸方向位置調節部材と、前記ケーブルに対する半径方向切刃と軸方向切刃とを備え、前記ブレード保持体に装着されたブレードとを備え、
前記ケーブルの絶縁体剥ぎ取り装置は、前記操作ハンドルの回転操作により、前記固定側挟持フレームの前記一対のベアリングと前記可動側挟持フレームの前記一対のベアリング間にて前記ケーブルを挟持可能であり、かつ、前記ブレード保持体軸方向位置調節部材と前記ブレード保持体角度調節部材により、前記ブレードの半径方向切刃の位置および軸方向切刃の角度を調節可能であることを特徴とするケーブルの絶縁体剥ぎ取り装置。
【請求項２】
前記ケーブルの絶縁体剥ぎ取り装置は、前記ブレード保持体軸方向位置調節部材と前記ブレード保持体角度調節部材により、前記ブレードの半径方向切刃の位置および軸方向切刃の角度を調節し、前記操作ハンドルの回転操作により、前記固定側挟持フレームの前記一対のベアリングと前記可動側挟持フレームの前記一対のベアリング間にて前記ケーブルを挟持した状態において、前記握り用ハンドルと操作ハンドルをもって、前記ケーブルの絶縁体剥ぎ取り装置を挟持する前記ケーブルに対して回転させることにより、前記ケーブルの絶縁体を螺旋状に剥ぎ取り可能である請求項１に記載のケーブルの絶縁体剥ぎ取り装置。
【請求項３】
前記固定側挟持フレームは、前記ブレード保持体用収納部と前記角度調節部材用収納部とを連通し、前記ブレード保持体角度調節部材を前記角度調節部材用収納部に部分的に露出させる開口部を備え、前記角度調節部材用収納部に収納された前記ブレード保持体角度調節部材の角度調節部材側係合部と、前記ブレード保持体用収納部に収納されたブレード保持体のブレード保持体側係合部は、前記固定側挟持フレームの前記開口部にて露出し、かつ、両者が係合しているものである請求項１または２に記載のケーブルの絶縁体剥ぎ取り装置。
【請求項４】
前記ブレード保持体は、前記ブレード保持体軸方向位置調節部材の回動時に、前記ブレード保持体側係合部が前記ブレード保持体角度調節部材の前記角度調節部材側係合部にガイドされることにより軸方向への移動調節が可能となっており、
前記ブレード保持体角度調節部材は、前記角度調節部材側係合部の回動時の進退による前記ブレード保持体のブレード保持体側係合部の回動方向への移動により、前記ブレード保持体の角度調節を可能としている請求項１ないし３のいずれかに記載のケーブルの絶縁体剥ぎ取り装置。
【請求項５】
前記ブレード保持体側係合部は、前記ブレード保持体の側部に設けられた突部と、前記突部の両側に設けられた凹部とにより構成されており、
前記角度調節部材側係合部は、前記ブレード保持体角度調節部材の軸部に設けられた前記ブレード保持体の前記突部と係合する係合凹部と、前記ブレード保持体の前記凹部と係合する係合凸部とにより構成されている請求項１ないし４のいずれかに記載のケーブルの絶縁体剥ぎ取り装置。
【請求項６】
前記ブレードの前記半径方向切刃は、前記ブレード保持体軸方向位置調節部材の中心軸に対して所定の傾斜角にて傾斜するものである請求項１ないし５のいずれかに記載のケーブルの絶縁体剥ぎ取り装置。
【請求項７】
前記ブレードの半径方向切刃の刃端面は、装着されたケーブルの垂直中心軸と交差する傾斜刃端面となっている請求項１ないし６のいずれかに記載のケーブルの絶縁体剥ぎ取り装置。
【請求項８】
前記操作ハンドルは、前記握り用ハンドルの前記螺杆部に螺合し、回転により前記螺杆部に対して軸方向に移動する螺子部と、外側部に環状の連動部材係合用凹溝とを備え、前記可動側挟持フレームは、基端が前記可動側挟持フレームに固定され、先端部に設けられた係合部が前記環状の連動部材係合用凹溝と係合した連動部材を備えるものである請求項１ないし７のいずれかに記載のケーブルの絶縁体剥ぎ取り装置。
【請求項９】
前記ブレードの前記半径方向切刃は、前記ブレード保持体軸方向位置調節部材の中心軸に対して所定の傾斜角にて傾斜するものであり、かつ、前記ブレードの半径方向切刃の刃端面は、装着されたケーブルの垂直中心軸と交差する傾斜刃端面となっている請求項１ないし８のいずれかに記載のケーブルの絶縁体剥ぎ取り装置。
【請求項１０】
軸部と、前記軸部の一端側に設けられた握り部と、前記軸部の他端側に設けられた螺杆部とを有する握り用ハンドルと、
前記握り用ハンドルの軸部に基部が固定され、かつケーブルの周面が当接可能な一対のベアリングを備えた固定側挟持フレームと、
前記固定側挟持フレームより前記握り用ハンドルの軸部の他端側に位置し、前記軸部に基部が前記軸部の軸方向に移動可能に備えられ、かつ、前記ケーブルの周面に当接可能な一対のベアリングを備え、前記固定側挟持フレームと共同して前記ケーブルを挟持する可動側挟持フレームと、
前記握り用ハンドルの螺杆部と螺合し、回転により前記軸部上を移動可能であり、かつ、前記可動側挟持フレームと連結され、回転により、前記可動側挟持フレームを前記軸部上を進退させる操作ハンドルとを備えるケーブルの絶縁体剥ぎ取り装置であって、
前記固定側挟持フレームは、前記一対のベアリングの中心線と中心軸がほぼ平行となるように設けられたブレード保持体用収納部と、かつ、前記ブレード保持体用収納部の中心軸に対してほぼ直交する方向に延び、かつ前記ブレード保持体用収納部と連通する角度調節部材用収納部とを備え、
前記ケーブルの絶縁体剥ぎ取り装置は、前記ブレード保持体用収納部に回動と軸方向に移動可能に挿入されたブレード取付け部と、側部に設けられたブレード保持体側係合部とを備えたブレード保持体と、前記角度調節部材用収納部に回動させることにより進退可能に収納され、かつ、前記ブレード保持体のブレード保持体側係合部と係合する角度調節部材側係合部を備え、前記ブレード保持体の回転を規制しかつ微少回動を行うためのブレード保持体角度調節部材と、前記ブレード保持体と螺合により連結され、回転により前記ブレード保持体を軸方向に移動させるブレード保持体軸方向位置調節部材と、前記ケーブルに対する半径方向切刃と軸方向切刃とを備え、前記ブレード保持体に装着されたブレードとを備え、
前記ケーブルの絶縁体剥ぎ取り装置は、前記操作ハンドルの回転操作により、前記固定側挟持フレームの前記一対のベアリングと前記可動側挟持フレームの前記一対のベアリング間にて前記ケーブルを挟持可能であり、かつ、前記ブレード保持体軸方向位置調節部材と前記ブレード保持体角度調節部材により、前記ブレードの半径方向切刃の位置および軸方向切刃の角度を調節可能であり、かつ、前記ブレード保持体軸方向位置調節部材と前記ブレード保持体角度調節部材により、前記ブレードの半径方向切刃の位置および軸方向切刃の角度を調節し、前記操作ハンドルの回転操作により、前記固定側挟持フレームの前記一対のベアリングと前記可動側挟持フレームの前記一対のベアリング間にて前記ケーブルを挟持した状態において、前記握り用ハンドルと操作ハンドルをもって、前記ケーブルの絶縁体剥ぎ取り装置を挟持する前記ケーブルに対して回転させることにより、前記ケーブルの絶縁体を螺旋状に剥ぎ取り可能であり、
さらに、前記固定側挟持フレームは、前記ブレード保持体用収納部と前記角度調節部材用収納部とを連通し、前記ブレード保持体角度調節部材を前記角度調節部材用収納部に部分的に露出させる開口部を備え、前記角度調節部材用収納部に収納された前記ブレード保持体角度調節部材の角度調節部材側係合部と、前記ブレード保持体用収納部に収納されたブレード保持体のブレード保持体側係合部は、前記固定側挟持フレームの前記開口部にて露出し、かつ、両者が係合しているものであり、
さらに、前記ブレード保持体側係合部は、前記ブレード保持体の側部に設けられた突部と、前記突部の両側に設けられた凹部とにより構成されており、前記角度調節部材側係合部は、前記ブレード保持体角度調節部材の軸部に設けられた前記ブレード保持体の前記突部と係合する係合凹部と、前記ブレード保持体の前記凹部と係合する係合凸部とにより構成されていることを特徴とするケーブルの絶縁体剥ぎ取り装置。
【請求項１１】
前記ブレードの前記半径方向切刃は、前記ブレード保持体軸方向位置調節部材の中心軸に対して所定の傾斜角にて傾斜するものである請求項１０に記載のケーブルの絶縁体剥ぎ取り装置。
【請求項１２】
前記ブレードの半径方向切刃の刃端面は、装着されたケーブルの垂直中心軸と交差する傾斜刃端面となっている請求項１０または１１に記載のケーブルの絶縁体剥ぎ取り装置。
【請求項１３】
前記ブレードの前記半径方向切刃は、前記ブレード保持体軸方向位置調節部材の中心軸に対して所定の傾斜角にて傾斜するものであり、かつ、前記ブレードの半径方向切刃の刃端面は、装着されたケーブルの垂直中心軸と交差する傾斜刃端面となっている請求項１０に記載のケーブルの絶縁体剥ぎ取り装置。
【請求項１４】
前記操作ハンドルは、前記握り用ハンドルの前記螺杆部に螺合し、回転により前記螺杆部に対して軸方向に移動する螺子部と、外側部に環状の連動部材係合用凹溝とを備え、前記可動側挟持フレームは、基端が前記可動側挟持フレームに固定され、先端部に設けられた係合部が前記環状の連動部材係合用凹溝と係合した連動部材を備えるものである請求項１０ないし１３のいずれかに記載のケーブルの絶縁体剥ぎ取り装置。
【手続補正２】
【補正対象書類名】明細書
【補正対象項目名】０００６
【補正方法】変更
【補正の内容】
【０００６】
上記目的を達成するものは、以下のケーブルの絶縁体剥ぎ取り装置である。
（１）  軸部と、前記軸部の一端側に設けられた握り部と、前記軸部の他端側に設けられた螺杆部とを有する握り用ハンドルと、前記握り用ハンドルの軸部に基部が固定され、かつケーブルの周面が当接可能な一対のベアリングを備えた固定側挟持フレームと、前記固定側挟持フレームより前記握り用ハンドルの軸部の他端側に位置し、前記軸部に基部が前記軸部の軸方向に移動可能に備えられ、かつ、前記ケーブルの周面に当接可能な一対のベアリングを備え、前記固定側挟持フレームと共同して前記ケーブルを挟持する可動側挟持フレームと、前記握り用ハンドルの螺杆部と螺合し、回転により前記軸部上を移動可能であり、かつ、前記可動側挟持フレームと連結され、回転により、前記可動側挟持フレームを前記軸部上を進退させる操作ハンドルとを備えるケーブルの絶縁体剥ぎ取り装置であって、前記固定側挟持フレームは、前記一対のベアリングの中心線と中心軸がほぼ平行となるように設けられたブレード保持体用収納部と、かつ、前記ブレード保持体用収納部の中心軸に対してほぼ直交する方向に延び、かつ前記ブレード保持体用収納部と連通する角度調節部材用収納部とを備え、
前記ケーブルの絶縁体剥ぎ取り装置は、前記ブレード保持体用収納部に回動と軸方向に移動可能に挿入されたブレード取付け部と、側部に設けられたブレード保持体側係合部とを備えたブレード保持体と、前記角度調節部材用収納部に回動させることにより進退可能に収納され、かつ、前記ブレード保持体のブレード保持体側係合部と係合する角度調節部材側係合部を備え、前記ブレード保持体の回転を規制しかつ微少回動を行うためのブレード保持体角度調節部材と、前記ブレード保持体と螺合により連結され、回転により前記ブレード保持体を軸方向に移動させるブレード保持体軸方向位置調節部材と、前記ケーブルに対する半径方向切刃と軸方向切刃とを備え、前記ブレード保持体に装着されたブレードとを備え、
前記ケーブルの絶縁体剥ぎ取り装置は、前記操作ハンドルの回転操作により、前記固定側挟持フレームの前記一対のベアリングと前記可動側挟持フレームの前記一対のベアリング間にて前記ケーブルを挟持可能であり、かつ、前記ブレード保持体軸方向位置調節部材と前記ブレード保持体角度調節部材により、前記ブレードの半径方向切刃の位置および軸方向切刃の角度を調節可能であることを特徴とするケーブルの絶縁体剥ぎ取り装置。
【手続補正３】
【補正対象書類名】明細書
【補正対象項目名】０００８
【補正方法】変更
【補正の内容】
【０００８】
（３）  前記固定側挟持フレームは、前記ブレード保持体用収納部と前記角度調節部材用収納部とを連通し、前記ブレード保持体角度調節部材を前記角度調節部材用収納部に部分的に露出させる開口部を備え、前記角度調節部材用収納部に収納された前記ブレード保持体角度調節部材の角度調節部材側係合部と、前記ブレード保持体用収納部に収納されたブレード保持体のブレード保持体側係合部は、前記固定側挟持フレームの前記開口部にて露出し、かつ、両者が係合しているものである前記（１）または前記（２）に記載のケーブルの絶縁体剥ぎ取り装置。
（４）  前記ブレード保持体は、前記ブレード保持体軸方向位置調節部材の回動時に、前記ブレード保持体側係合部が前記ブレード保持体角度調節部材の前記角度調節部材側係合部にガイドされることにより軸方向への移動調節が可能となっており、
前記ブレード保持体角度調節部材は、前記角度調節部材側係合部の回動時の進退による前記ブレード保持体のブレード保持体側係合部の回動方向への移動により、前記ブレード保持体の角度調節を可能としている前記（１）ないし前記（３）のいずれかに記載のケーブルの絶縁体剥ぎ取り装置。
【手続補正４】
【補正対象書類名】明細書
【補正対象項目名】００１１
【補正方法】変更
【補正の内容】
【００１１】
（１０）軸部と、前記軸部の一端側に設けられた握り部と、前記軸部の他端側に設けられた螺杆部とを有する握り用ハンドルと、前記握り用ハンドルの軸部に基部が固定され、かつケーブルの周面が当接可能な一対のベアリングを備えた固定側挟持フレームと、前記固定側挟持フレームより前記握り用ハンドルの軸部の他端側に位置し、前記軸部に基部が前記軸部の軸方向に移動可能に備えられ、かつ、前記ケーブルの周面に当接可能な一対のベアリングを備え、前記固定側挟持フレームと共同して前記ケーブルを挟持する可動側挟持フレームと、前記握り用ハンドルの螺杆部と螺合し、回転により前記軸部上を移動可能であり、かつ、前記可動側挟持フレームと連結され、回転により、前記可動側挟持フレームを前記軸部上を進退させる操作ハンドルとを備えるケーブルの絶縁体剥ぎ取り装置であって、前記固定側挟持フレームは、前記一対のベアリングの中心線と中心軸がほぼ平行となるように設けられたブレード保持体用収納部と、かつ、前記ブレード保持体用収納部の中心軸に対してほぼ直交する方向に延び、かつ前記ブレード保持体用収納部と連通する角度調節部材用収納部とを備え、前記ケーブルの絶縁体剥ぎ取り装置は、前記ブレード保持体用収納部に回動と軸方向に移動可能に挿入されたブレード取付け部と、側部に設けられたブレード保持体側係合部とを備えたブレード保持体と、前記角度調節部材用収納部に回動させることにより進退可能に収納され、かつ、前記ブレード保持体のブレード保持体側係合部と係合する角度調節部材側係合部を備え、前記ブレード保持体の回転を規制しかつ微少回動を行うためのブレード保持体角度調節部材と、前記ブレード保持体と螺合により連結され、回転により前記ブレード保持体を軸方向に移動させるブレード保持体軸方向位置調節部材と、前記ケーブルに対する半径方向切刃と軸方向切刃とを備え、前記ブレード保持体に装着されたブレードとを備え、前記ケーブルの絶縁体剥ぎ取り装置は、前記操作ハンドルの回転操作により、前記固定側挟持フレームの前記一対のベアリングと前記可動側挟持フレームの前記一対のベアリング間にて前記ケーブルを挟持可能であり、かつ、前記ブレード保持体軸方向位置調節部材と前記ブレード保持体角度調節部材により、前記ブレードの半径方向切刃の位置および軸方向切刃の角度を調節可能であり、かつ、前記ブレード保持体軸方向位置調節部材と前記ブレード保持体角度調節部材により、前記ブレードの半径方向切刃の位置および軸方向切刃の角度を調節し、前記操作ハンドルの回転操作により、前記固定側挟持フレームの前記一対のベアリングと前記可動側挟持フレームの前記一対のベアリング間にて前記ケーブルを挟持した状態において、前記握り用ハンドルと操作ハンドルをもって、前記ケーブルの絶縁体剥ぎ取り装置を挟持する前記ケーブルに対して回転させることにより、前記ケーブルの絶縁体を螺旋状に剥ぎ取り可能であり、さらに、前記固定側挟持フレームは、前記ブレード保持体用収納部と前記角度調節部材用収納部とを連通し、前記ブレード保持体角度調節部材を前記角度調節部材用収納部に部分的に露出させる開口部を備え、前記角度調節部材用収納部に収納された前記ブレード保持体角度調節部材の角度調節部材側係合部と、前記ブレード保持体用収納部に収納されたブレード保持体のブレード保持体側係合部は、前記固定側挟持フレームの前記開口部にて露出し、かつ、両者が係合しているものであり、さらに、前記ブレード保持体側係合部は、前記ブレード保持体の側部に設けられた突部と、前記突部の両側に設けられた凹部とにより構成されており、前記角度調節部材側係合部は、前記ブレード保持体角度調節部材の軸部に設けられた前記ブレード保持体の前記突部と係合する係合凹部と、前記ブレード保持体の前記凹部と係合する係合凸部とにより構成されていることを特徴とするケーブルの絶縁体剥ぎ取り装置。
（１１）  前記ブレードの前記半径方向切刃は、前記ブレード保持体軸方向位置調節部材の中心軸に対して所定の傾斜角にて傾斜するものである前記（１０）に記載のケーブルの絶縁体剥ぎ取り装置。
（１２）  前記ブレードの半径方向切刃の刃端面は、装着されたケーブルの垂直中心軸と交差する傾斜刃端面となっている前記（１０）または（１１）に記載のケーブルの絶縁体剥ぎ取り装置。
（１３）  前記ブレードの前記半径方向切刃は、前記ブレード保持体軸方向位置調節部材の中心軸に対して所定の傾斜角にて傾斜するものであり、かつ、前記ブレードの半径方向切刃の刃端面は、装着されたケーブルの垂直中心軸と交差する傾斜刃端面となっている前記（１０）に記載のケーブルの絶縁体剥ぎ取り装置。
（１４）  前記操作ハンドルは、前記握り用ハンドルの前記螺杆部に螺合し、回転により前記螺杆部に対して軸方向に移動する螺子部と、外側部に環状の連動部材係合用凹溝とを備え、前記可動側挟持フレームは、基端が前記可動側挟持フレームに固定され、先端部に設けられた係合部が前記環状の連動部材係合用凹溝と係合した連動部材を備えるものである前記（１０）ないし（１３）のいずれかに記載のケーブルの絶縁体剥ぎ取り装置。
【手続補正５】
【補正対象書類名】明細書
【補正対象項目名】００１８
【補正方法】変更
【補正の内容】
【００１８】
以下、本考案における実施形態を図面を参照しつつ説明する。
本考案のケーブルの絶縁体剥ぎ取り装置１は、軸部２１と、軸部２１の一端側に設けられた握り部２２と、軸部２１の他端側に設けられた螺杆部２３とを有する握り用ハンドル２と、握り用ハンドル２の軸部２１に基部３３が固定され、かつケーブル１０の周面が当接可能な一対のベアリング３４を備えた固定側挟持フレーム３と、固定側挟持フレーム３より握り用ハンドル２の軸部２１の他端側に位置し、軸部２１に基部４３が軸部２１の軸方向に移動可能に備えられ、かつ、ケーブル１０の周面に当接可能な一対のベアリング４４を備え、固定側挟持フレーム３と共同してケーブル１０を挟持する可動側挟持フレーム４と、握り用ハンドル２の螺杆部２３と螺合し、回転により軸部２１上を移動可能であり、かつ、可動側挟持フレーム４と連結され、回転により、可動側挟持フレーム４を軸部２１上を進退させる操作ハンドル５とを備えるものである。
特に、固定側挟持フレーム３は、一対のベアリング３４の中心線と中心軸がほぼ平行となるように設けられたブレード保持体用収納部３５と、かつ、ブレード保持体用収納部３５の中心軸に対してほぼ直交する方向に延び、かつ、ブレード保持体用収納部３５と連通する角度調節部材用収納部３６とを備える。
ケーブルの絶縁体剥ぎ取り装置１は、ブレード保持体用収納部３５に回動と軸方向に移動可能に挿入されたブレード取付け部６１と、側部に設けられたブレード保持体側係合部６２とを備えたブレード保持体６と、角度調節部材用収納部３６に回動させることにより進退可能に収納され、かつ、ブレード保持体６のブレード保持体側係合部６２と係合する角度調節部材側係合部８２を備え、ブレード保持体６の回転を規制しかつ微少回動を行うためのブレード保持体角度調節部材８と、ブレード保持体６と螺合により連結され、回転によりブレード保持体６を軸方向に移動させるブレード保持体軸方向位置調節部材７と、ケーブル１０に対する半径方向切刃９ａと軸方向切刃９ｂとを備え、ブレード保持体６に装着されたブレード９とを備える。
さらに、ケーブルの絶縁体剥ぎ取り装置１は、ブレード保持体軸方向位置調節部材７とブレード保持体角度調節部材８により、ブレード９の半径方向切刃９ａの位置および軸方向切刃９ｂの角度を調節可能とし、操作ハンドル５の回転操作により、固定側挟持フレーム３の一対のベアリング３４と可動側挟持フレーム４の一対のベアリング４４間にてケーブル１０を挟持可能としたものである。
そして、ケーブルの絶縁体剥ぎ取り装置１は、ブレード保持体軸方向位置調節部材７とブレード保持体角度調節部材８により、ブレード９の半径方向切刃の位置および軸方向切刃の角度を調節し、操作ハンドル５の回転操作により、固定側挟持フレーム３の一対のベアリングと可動側挟持フレーム４の一対のベアリング間にてケーブル１０を挟持した状態において、握り用ハンドル２と操作ハンドル５をもって、ケーブルの絶縁体剥ぎ取り装置１を挟持するケーブル１０に対して回転させることにより、ケーブル１０の絶縁体を螺旋状に剥ぎ取るようにしたものである。